(57)【特許請求の範囲】
【請求項１】
フロントカバーと、
表示パネルと、
前記フロントカバーと共に前記表示パネルを収納するリアカバーと、
前記表示パネルと前記リアカバーとに挟持され、導電性及び衝撃・振動吸収性を有するシート部材と、を有し、
前記シート部材の主面の面積は、前記表示パネルの主面の面積に略等しく、
前記シート部材は、必要な箇所に弾性部材の形状が形成された金属を含むことを特徴とする表示装置。
【請求項２】
請求項１に記載の表示装置であって、
前記シート部材は、前記リアカバー、または前記表示パネルに接着されていることを特徴とする表示装置。
【請求項３】
請求項１又は２に記載の表示装置であって、
前記弾性部材の形状が形成された金属は、アルミニウム（Ａｌ）、ステンレス鋼（ＳＵＳ）又は銅（Ｃｕ）であることを特徴とする表示装置。
【請求項４】
請求項１乃至３のいずれか一項記載の表示装置と、
前記表示装置が回動自在に設けられた本体と、
を有することを特徴とする電子機器。
【発明の詳細な説明】
【技術分野】
【０００１】
本発明は、表示装置及び表示装置を備えた電子機器に関し、より具体的には、良好なアンテナ特性を維持しつつ、表示画面の異常発生を防止することができる構造を備えた表示装置及び当該表示装置を備えた電子機器に関する。
【背景技術】
【０００２】
近年の情報化社会の進展に伴い、パーソナルコンピュータ等に代表される種々の電子機器が広く使用されるようになっている。特に、屋外でも使用可能な携帯型の電子機器の需要が高く、それらの小型・軽量化が要望されるようになっている。かかる目的を達成するための手段の一つとして表示パネルとして液晶パネルが採用された表示装置が広く使用されるようになっている。液晶表示装置は、単に小型・軽量化のみならず、バッテリ駆動される携帯型の電子機器の低消費電力化を図ることができる。なお、プラズマパネル、有機ＥＬ（Ｅｌｅｃｔｒｏ−Ｌｕｍｉｎｅｓｃｅｎｃｅ）パネルなどの他種類の表示パネルについても、小型・軽量化、低消費電力化の開発が進められている。
【０００３】
図１に、携帯型の電子機器の例として、ノート型パーソナルコンピュータを示す。
【０００４】
図１を参照するに、ノート型パーソナルコンピュータ１０においては、液晶表示装置１が、液晶パネル２の表示面を内側（コンピュータ本体４の上面側）に向けた状態で、ヒンジ３を介してコンピュータ本体４に対して回動自在に取り付けられている。図１では、液晶表示装置１がコンピュータ本体４に対して開かれ、液晶パネル２の表示面を視認することができる状態が示されている。
【０００５】
コンピュータ本体４の上面には、詳細な図示を省略しているキーボード５、タッチパッド６、電源ボタン７、クリックボタン８等が設けられている。また、コンピュータ本体４の内部には、ＣＰＵ（Ｃｅｎｔｒａｌ  Ｐｒｏｃｅｓｓｉｎｇ  Ｕｎｉｔ）を搭載したマザーボードやハードディスク等の記憶装置が設けられている。
【０００６】
液晶表示装置１は、フロントカバー９（図２参照）と、リアカバー１１とを、有し、液晶パネル２は、フロントカバー９とリアカバー１１との間に収納されている。なお、図２は、フロントカバー９を示している。
【０００７】
ところで、液晶パネル２の表示面の背面には無線通信を行うためのアンテナ（図示を省略）が実装されており、ノイズを排除して当該アンテナの良好なアンテナ特性を維持すべく、電磁シールド手段により、当該アンテナはシールドされている。これについて、図３を参照して説明する。ここで、図３は、液晶パネル２の裏面を示す平面図である。
【０００８】
液晶パネル２の裏面の略全面に絶縁シートが形成されており、液晶パネル２の上部であって当該絶縁シート上には、アルミシート１２が貼り付けられている。アルミシート１２は、例えば、アルミシート１２に設けられた剥離紙を剥がして貼り付けられている。
【０００９】
また、リアカバー１１（図１参照）に設けられた基板に接続されるコネクタ１３が端部に設けられ、複数の配線からなるＬＣＤケーブルが液晶パネル２の裏面に設けられている。当該ＬＣＤケーブルは、銅（Ｃｕ）テープ１４により被覆されている。また、上記複数の配線であって、コネクタ１３の近傍の箇所には導電布１５が巻き付けられており、アルミシート１２の近傍の箇所には導電布１６が貼り付けられている。このコネクタ１３は、前述のマザーボードに設けられたコネクタに接続される。前述のＣＰＵにより生成された画像を示す画像信号は、これらコネクタ及びＬＣＤケーブルを経由して基板に供給される。基板は、供給された画像信号に応じて液晶パネル２を駆動制御し、液晶パネル２にて画像を表示する。
【００１０】
このように、液晶パネル２の裏面においては、アルミシート１２、導電布１５、及び導電布１６が、ノイズを排除してアンテナの良好なアンテナ特性を維持するための電磁シールド手段として機能する。
【００１１】
次に、図４を参照して、リアカバー１１の内面における構造を説明する。図４は、リアカバー１１の内面を示す平面図である。
【００１２】
リアカバー１１の内面の外周に略沿ってＬＣＤケーブル１７−１乃至１７−４が導電布１９を介して、当該リアカバー１１の内面が貼り付けられている。図５に、導電布１９を介してリアカバー１１の内面に貼り付けられたＬＣＤケーブル１７の断面図を示す。図５に示すように、導電布１９の接着面が、ＬＣＤケーブル１７とリアカバー１１の内面とに接しており、ＬＣＤケーブル１７が抜けることなくリアカバー１１の内面に貼り付けられている。
【００１３】
また、図４を再度参照するに、リアカバー１１の内面の上部には、アルミシート２０が貼り付けられている。アルミシート２０は、例えば、アルミシート２０に設けられた剥離紙を剥がして貼り付けられている。
【００１４】
このように、リアカバー１１の内面においては、導電布１９及びアルミシート２０が、ノイズを排除してアンテナの良好なアンテナ特性を維持するための電磁シールド手段として機能する。
【００１５】
リアカバー１１の内面においては更に、スポンジ質で突起状の緩衝材２１、２２が両面テープを介して貼り付けられている。液晶パネル２の裏側から力が作用すると、液晶パネル２の画面に異常が発生するおそれがあるが、アルミシート２０の近傍及びリアカバー１１の内面の略中央に貼り付けられた緩衝材２１ａ及び２１ｂにより、液晶パネル２の画面に白点状の画像欠陥が発生することを防止している。また、リアカバー１１の内面の上部に貼り付けられた緩衝材２２により、液晶パネル２の画面に黒いシミ状のものが広がってなる液晶割れが発生することを防止している。
【００１６】
このように、リアカバー１１の内面においては、液晶パネル２の画面に異常が発生することを防止すべく、緩衝材２１、２２が設けられている。
【００１７】
なお、上述の例の他に、液晶画面の背面と表示部筐体の内側との間に、前記表示部筐体内に設けられた両面テープによって平面型のアンテナが着脱自在に取り付け、アンテナ表面と液晶画面の背面との間を金属シートによって覆うことにより、前記アンテナを電磁シールドする構造を有する携帯情報処理装置が提案されている。（特許文献１参照）
また、液晶パネルの側面に取り付けられると共にその側面より延出する端部が筐体に固定される取り付け具に、液晶表示パネルの裏面側に張り出す張出部を設け、筐体の内面に敷設され筐体と液晶パネルとの間に介在される導電性シートに、片持ち支持された板バネ部を形成し、この板バネ部を取り付け具の張出部に弾接させて、液晶パネルのノイズを導電性シートに逃す構造を有する液晶表示装置が提案されている。（特許文献２参照）
【特許文献１】特開２００３−１１４７３５号公報
【特許文献２】特開２００４−３６１６１５号公報
【発明の開示】
【発明が解決しようとする課題】
【００１８】
しかしながら、図１乃至図４に示す液晶表示装置１では、上述したように、ノイズを排除してアンテナの良好なアンテナ特性を維持するための電磁シールド手段として、液晶パネル２の裏面にアルミシート１２、導電布１５、及び導電布１６が設けられ、リアカバー１１の内面に導電布１９及びアルミシート２０が設けられている。
【００１９】
そして、液晶パネル２の画面に異常が発生することを防止するために、リアカバー１１の内面に緩衝材２１、２２が設けられている。
【００２０】
即ち、図１乃至図４に示す液晶表示装置１では、電磁シールド手段と、液晶パネル２の画面において異常が発生することを防止する手段とを、別個に設けている。従って、液晶表示装置１を構成する部品点数が多く、よって、液晶表示装置１の組立作業の工程数が多くなっており、製造コストを低く抑えることは困難である。
【００２１】
そこで、本発明は、上記の点に鑑みてなされたものであって、ノイズを排除してアンテナの良好なアンテナ特性を維持するための電磁シールド手段と、表示パネルの画面において異常が発生することを防止する手段とを別個に設けることなく、両者に効果のある部品を設けて表示装置を構成する部品点数を少なくし、表示装置の組立作業の工程数の削減を図ることができる表示装置及び当該表示装置を備えた電子機器を提供することを本発明の目的とする。
【課題を解決するための手段】
【００２２】
本発明の一観点によれば、フロントカバーと共に表示パネルを収納するリアカバーと、前記表示パネルと前記リアカバーとに挟持され、導電性及び衝撃・振動吸収性を有するシート部材と、を有することを特徴とする表示装置が提供される。
【００２３】
本発明の別の観点によれば、上記表示装置と、該表示装置が回動自在に設けられた本体と、を有することを特徴とする電子機器が提供される。
【発明の効果】
【００２４】
本発明によれば、ノイズを排除してアンテナの良好なアンテナ特性を維持するための電磁シールド手段と、表示パネルの画面において異常が発生することを防止する手段とを別個に設けることなく、両者に効果のある部品を設けて、表示装置を構成する部品点数を少なくし、表示装置の組立作業の工程数の削減を図ることができる表示装置及び当該表示装置を備えた電子機器を提供することができる。
【発明を実施するための最良の形態】
【００２５】
以下、本発明の実施の形態について説明する。
【００２６】
以下の説明では、本発明の実施の形態に係る電子機器として、ノート型パーソナルコンピュータを例に挙げて説明する。
【００２７】
図６に、本発明の実施の形態に係るノート型パーソナルコンピュータを示す。
【００２８】
ノート型パーソナルコンピュータ５０においては、液晶表示装置６１が、液晶パネル６２の表示面を内側（コンピュータ本体６４の上面側）に向けた状態で、ヒンジ６３を介してコンピュータ本体６４に対して回動自在に取り付けられている。図６では、液晶表示装置６１がコンピュータ本体６４に対して開かれ、液晶パネル６２の表示面を視認することができる状態が示されている。本実施の形態では、表示パネルの一例として液晶パネルを採用した表示装置について説明する。
【００２９】
コンピュータ本体６４の上面には、詳細な図示を省略しているキーボード６５、タッチパッド６６、電源ボタン６７、クリックボタン６８等が設けられている。また、コンピュータ本体６４の内部には、ＣＰＵ（Ｃｅｎｔｒａｌ  Ｐｒｏｃｅｓｓｉｎｇ  Ｕｎｉｔ）を搭載したマザーボードやハードディスク等の記憶装置が設けられている。
【００３０】
液晶表示装置６１はフロントカバー６９（図７参照）と、リアカバー７１とを含む。液晶パネル６２は、フロントカバー６９とリアカバー７１との間に収納されている。なお、図７は、フロントカバー６９を示している。
【００３１】
本例の液晶表示装置６１では更に、液晶パネル６２とリアカバー７１との間に、シート部材８０が挟持されている。
【００３２】
図８に、液晶パネル６２と、リアカバー７１と、液晶パネル６２とリアカバー７１との間に挟持されるシート部材８０とをそれぞれ示す。なお、図８では、説明を分かりやすくするために、コネクタ９３が端部に設けられ、複数の配線からなり、銅（Ｃｕ）テープ９４により被覆されているＬＣＤケーブルを、リアカバー７１の内面上に図示しているが、実際には、ＬＣＤケーブルは液晶パネル６２の裏面に設けられる。このコネクタ９３は、前述のマザーボードに設けられたコネクタに接続される。前述のＣＰＵにより生成された画像を示す画像信号は、これらコネクタ及びＬＣＤケーブルを経由して基板に供給される。基板は、供給された画像信号に応じて液晶パネル６２を駆動し、液晶パネル６２にて画像の表示制御を行う。
【００３３】
図８に示す液晶パネル６２において、点線Ａは、図３に示す液晶パネル２においてアルミシート１２が貼り付けられている箇所を示す。
【００３４】
詳細は後述するが、本例では、液晶パネル６２とリアカバー７１との間にシート部材８０を設けているため、図３に示すアルミシート１２を設ける必要がない構造となっている。
【００３５】
図８に示すリアカバー７１の拡大図を図９に示す。図８及び図９を参照するに、リアカバー７１の内面の外周に略沿ってＬＣＤケーブル９７−１乃至９７−４が設けられている。
【００３６】
図８に示すリアカバー７１において、点線Ｂは、図３に示す液晶パネル２において導電布１５が設けられている箇所を示し、点線Ｃは、図３に示す液晶パネル２において導電布１６が設けられている箇所を示す。また、図９に示すリアカバー７１において、点線Ｄは、図４に示すリアカバー１１においてアルミシート２０が設けられている箇所を示す。更に、図８及び図９に示すリアカバー７１において、点線Ｅは、図４に示すリアカバー１１において導電布１９が設けられている箇所を示す。
【００３７】
詳細は後述するが、本例では、液晶パネル６２とリアカバー７１との間にシート部材８０を設けているため、図３に示す導電布１５及び１６と、図４に示すアルミシート２０及び導電布１９とを設ける必要がない構造となっている。
【００３８】
また、図８及び図９に示すリアカバー７１において、点線Ｆは、図４に示すリアカバー１１において緩衝材２１が設けられている箇所を示し、点線Ｇは、図４に示すリアカバー１１において緩衝材２２が設けられている箇所を示す。
【００３９】
詳細は後述するが、本例では、液晶パネル６２とリアカバー７１との間にシート部材８０を設けているため、図４に示す緩衝材２１及び２２を設ける必要がない構造となっている。
【００４０】
次に、液晶パネル６２とリアカバー７１との間に設けられるシート部材８０について説明する。
【００４１】
シート部材８０の主面であって、リアカバー７１と接する面には、両面テープが設けられている。従って、シート部材８０は、当該両面テープを介してリアカバー７１または液晶パネル６２に接着されている。
【００４２】
シート部材８０は、導電性及び衝撃・振動吸収性の双方の特性を有するシート状の部材である。このシート部材８０は、その接着面の反対面は微粘着性を有し、組み立て時に取り付けやすくし、また振動によるズレを吸収する。
【００４３】
シート部材８０は、例えば必要な箇所にバネ形状が形成されたアルミニウム（Ａｌ）、ステンレス鋼（ＳＵＳ）又は銅（Ｃｕ）から構成されてもよく、或いはガスケットから構成されてもよい。シート部材８０がアルミニウム（Ａｌ）、ステンレス鋼（ＳＵＳ）又は銅（Ｃｕ）から構成される場合は、安価にシート部材８０を形成でき、また、シート部材８０がガスケットから構成される場合は、シート部材８０の軽量化を図ることができる。
【００４４】
シート部材８０は、アルミニウム（Ａｌ）、銅（Ｃｕ）又は銀（Ａｇ）等の導電性を有する材料と、ポリウレタン等の衝撃・振動吸収性を有する材料との複合材から構成されてもよい。アルミニウム（Ａｌ）、銅（Ｃｕ）又は銀（Ａｇ）等は導電性に優れ、特にアルミニウム（Ａｌ）は、重量が軽く安価にシート部材８０を製造することができる。また、ポリウレタンは、重量が軽く、クッション性及び耐久性に優れる。
【００４５】
図８に示す例では、シート部材８０の主面の面積は、液晶パネル６２の主面の面積に略等しく設定されているが、本発明はかかる例に限定されない。少なくとも、図８及び図９において点線Ａ乃至点線Ｇで示す箇所、即ち、図３及び図４に示す態様において導電布１５、１６及び１９が設けられている箇所、アルミシート１２及び２０が設けられている箇所、及び緩衝材２１及び２２が設けられている箇所に、シート部材８０が設けられている限り、シート部材８０の配設面積は、液晶パネル６２の主面の面積に等しくなくてもよい。
【００４６】
また、液晶パネル６２とリアカバー７１とのクリアランスの範囲内で有れば、シート部材８０の厚さに特に制限は無い。
【００４７】
液晶パネル６２の表示面の背面には無線通信を行うためのアンテナ（図示を省略）が実装されているため、ノイズを排除して当該アンテナの良好なアンテナ特性を維持する必要がある。このアンテナは、シート部材８０が位置する部分を避けたシート部材８０の近傍となるリアカバー７１に、リアカバー７１とフロントカバー６９間に位置する状態で固定される。
【００４８】
また、液晶パネル６２をリアカバー７１に留める際等に於いて、液晶パネル６２の裏側から液晶パネル６２の表示面に力が直接作用すると、液晶パネル２の画面における白点状の画像欠陥の発生や、液晶パネル２の画面に黒いシミ状のものが広がってなる液晶割れの発生等、液晶パネル６２の画面に異常が発生するおそれがある。
【００４９】
本例では、液晶パネル６２とリアカバー７１との間に、導電性及び衝撃・振動吸収性の双方の特性を有する１枚のシート部材８０が設けられている。従って、シート部材８０が有する導電性により、前記アンテナはシールドされて前記アンテナの良好なアンテナ特性を維持することができると共に、シート部材８０が衝撃を吸収して液晶パネル６２の画面における異常の発生を防止することができる。
【００５０】
従って、本例によれば、複数の導電布及び複数のアルミシートを別個に液晶パネル２及びリアカバー１１に設けている図３及び図４に示す態様に比し、液晶表示装置６１を構成する部品点数を削減でき、液晶表示装置６１の組立作業の工程数を削減することできるため、製造コストを低く抑えることができる。
【００５１】
更に、本例では、シート部材８０はリアカバー７１または液晶パネル６２に接着されているため、リアカバー７１の内面の外周に略沿って設けられているＬＣＤケーブル９７−１乃至９７−４を厳格に前記外周に沿わずに、リアカバー７１の中心側に位置していてもよく、ＬＣＤケーブル９７−１乃至９７−４の引き回しを単純化することができる。
【００５２】
以上、本発明の実施の形態について詳述したが、本発明は特定の実施形態に限定されるものではなく、特許請求の範囲に記載された本発明の要旨の範囲内において、種々の変形及び変更が可能である。
【００５３】
例えば、上述の例では、シート部材８０の主面は、液晶パネル６２の主面に対応して略矩形形状を有しているが、本発明はかかる例に限定されない。図１０に示すように、シート部材９０に、銅（Ｃｕ）テープ９４（図８参照）により被覆されているＬＣＤケーブル（配線部材）に対応した切り込み部９９を形成してもよい。かかる構造により、液晶表示装置６１の薄型化を図ることができる。
【００５４】
また、上述の例では、本発明の実施の形態に係る電子機器として、ノート型パーソナルコンピュータを例に挙げて説明したが、本発明はかかる例に限定されない。例えば、ＰＤＡ（Ｐｅｒｓｏｎａｌ
Ｄｉｇｉｔａｌ Ａｓｓｉｓｔａｎｔｓ）、携帯電話機、ビデオカメラ、又はデジタルカメラ等、液晶表示装置を備えた他の電子機器に対しても本発明を適用することができる。
【００５５】
また、例えば、上述の例では、表示パネルとして液晶パネルを例示した。しかし、上記実施の形態で示した技術は、プラズマパネル、有機ＥＬ（Ｅｌｅｃｔｒｏ−Ｌｕｍｉｎｅｓｃｅｎｃｅ）パネル等、他の種類の表示パネルにも適用可能なものである。
【００５６】
以上の説明に関し、更に以下の項を開示する。
（付記１）
フロントカバーと、
表示パネルと、
前記フロントカバーと共に前記表示パネルを収納するリアカバーと、
前記表示パネルと前記リアカバーとに挟持され、導電性及び衝撃・振動吸収性を有するシート部材と、を有することを特徴とする表示装置。
（付記２）
付記１記載の表示装置であって、
前記シート部材は、１枚設けられていることを特徴とする表示装置。
（付記３）
付記１又は２記載の表示装置であって、
前記シート部材の主面の面積は、前記表示パネルの主面の面積に略等しいことを特徴とする表示装置。
（付記４）
付記１又は２記載の表示装置であって、
前記シート部材には、前記表示パネルに設けられた配線部材に対応して、切り込み部が形成されていることを特徴とする表示装置。
（付記５）
付記１乃至４いずれか一項記載の表示装置であって、
前記シート部材は、前記リアカバーまたは前記表示パネルに接着されていることを特徴とする表示装置。
（付記６）
付記１乃至５いずれか一項記載の表示装置であって、
前記シート部材は、弾性部材の形状を有する金属からなることを特徴とする表示装置。
（付記７）
付記６記載の表示装置であって、
前記弾性部材の形状を有する金属は、アルミニウム（Ａｌ）、ステンレス鋼（ＳＵＳ）又は銅（Ｃｕ）であることを特徴とする表示装置。
（付記８）
付記１乃至５いずれか一項記載の表示装置であって、
前記シート部材は、ガスケットからなることを特徴とする表示装置。
（付記９）
付記８記載の表示装置であって、
前記ガスケットは、金属であることを特徴とする表示装置。
（付記１０）
付記１乃至５いずれか一項記載の表示装置であって、
前記シート部材は、導電性を有する材料と衝撃・振動吸収性を有する材料との複合材からなることを特徴とする表示装置。
（付記１１）
付記１０記載の表示装置であって、
前記衝撃・振動吸収性を有する材料はポリウレタンであることを特徴とする表示装置。
（付記１２）
付記１乃至１１のいずれか一項記載の表示装置であって、
前記フロントカバーと前記リアカバー間に位置するアンテナを有する、ことを特徴とする
（付記１３）
付記１乃至１２のいずれか一項記載の表示装置と、
前記表示装置が回動自在に設けられた本体と、を有することを特徴とする電子機器。
【図面の簡単な説明】
【００５７】
【図１】ノート型パーソナルコンピュータの斜視図である。
【図２】図１に示すノート型パーソナルコンピュータの液晶表示装置のフロントカバーの斜視図である。
【図３】液晶表示装置の液晶パネルの裏面を示す平面図である。
【図４】液晶表示装置のリアカバーの内面を示す平面図である。
【図５】導電布を介してリアカバーの内面に貼り付けられたＬＣＤケーブルの断面図である。
【図６】本発明の実施の形態に係るノート型パーソナルコンピュータの斜視図である。
【図７】図６に示すノート型パーソナルコンピュータの液晶表示装置のフロントカバーの斜視図である。
【図８】本発明の実施の形態に係る液晶表示装置の液晶パネル、リアカバー、及びシート部材の斜視図である。
【図９】図８に示すリアカバーの拡大図である。
【図１０】本発明の実施の形態に係るシート部材の変形例を含んだ液晶表示装置の斜視図である。
【符号の説明】
【００５８】
５０            ノート型パーソナルコンピュータ
６１            液晶表示装置。
６２            液晶パネル
６９            フロントカバー
７１            リアカバー
８０、９０      シート部材
９４            銅（Ｃｕ）テープ
９７            ＬＣＤケーブル
９９            切り込み部
【図１】
0005286875.tif 000002
【図２】
0005286875.tif 000003
【図３】
0005286875.tif 000004
【図４】
0005286875.tif 000005
【図５】
0005286875.tif 000006
【図６】
0005286875.tif 000007
【図７】
0005286875.tif 000008
【図８】
0005286875.tif 000009
【図９】
0005286875.tif 000010
【図１０】
0005286875.tif 000011